(57)【要約】  本開示は、セル管理方法、端末及びネットワーク側装置を提供する。端末に適用される方法は、ネットワーク側装置によって送信された、前記端末にセル管理動作を実行させるようにトリガするトリガ条件と評価時間長とを含む設定情報を受信することと、前記トリガ条件を満足する時間長が前記評価時間長よりも短ければ、セル管理動作の実行を放棄し、及び／又は、前記トリガ条件を満足する時間長が前記評価時間長以上であれば、セル管理動作を実行することと、を含む。
2021525495.tif 000002
【特許請求の範囲】
【請求項１】
端末に適用されるセル管理方法であって、
ネットワーク側装置によって送信された、前記端末にセル管理動作を実行させるようにトリガするトリガ条件と評価時間長とを含む設定情報を受信することと、
前記トリガ条件を満足する時間長が前記評価時間長よりも短ければ、セル管理動作の実行を放棄し、及び／又は、前記トリガ条件を満足する時間長が前記評価時間長以上であれば、セル管理動作を実行することと、を含むセル管理方法。
【請求項２】
前記ネットワーク側装置によって送信された設定情報を受信した後、
前記トリガ条件を満足すると検出すれば、前記トリガ条件に対応するタイマーを起動し、かつ前記トリガ条件を満足しないと検出する場合に前記トリガ条件に対応するタイマーを停止することをさらに含む、請求項１に記載の方法。
【請求項３】
前記トリガ条件に対応するタイマーがタイムアウトする前に停止すれば、セル管理動作の実行を放棄し、及び／又は、前記トリガ条件に対応するタイマーがタイムアウトすれば、セル管理動作を実行し、前記トリガ条件に対応するタイマーのタイミング閾値が前記評価時間長以上である、請求項２に記載の方法。
【請求項４】
前記設定情報は、前記トリガ条件に対応するＮ個の管理情報と、それぞれ前記Ｎ個の管理情報に対応する評価時間長とをさらに含み、Ｎが正の整数であり、
前記トリガ条件を満足する時間長が前記評価時間長以上であれば、セル管理動作を実行することは、
前記トリガ条件を満足する時間長が前記Ｎ個の管理情報中のターゲット管理情報に対応する評価時間長以上であれば、セルに対して前記ターゲット管理情報に対応する管理動作を実行することを含む、請求項１に記載の方法。
【請求項５】
前記ネットワーク側装置によって送信された設定情報を受信した後、
前記トリガ条件を満足すると検出すれば、前記ターゲット管理情報に対応するタイマーを起動し、かつ前記トリガ条件を満足しないと検出する場合に前記ターゲット管理情報に対応するタイマーを停止することをさらに含み、
前記トリガ条件を満足する時間長が前記Ｎ個の管理情報中のターゲット管理情報に対応する評価時間長以上であれば、セルに対して前記ターゲット管理情報に対応する管理動作を実行することは、
前記ターゲット管理情報に対応するタイマーがタイムアウトすれば、セルに対して前記ターゲット管理情報に対応する管理動作を実行することを含み、前記ターゲット管理情報に対応するタイマーのタイミング閾値が前記ターゲット管理情報に対応する評価時間長以上である、請求項４に記載の方法。
【請求項６】
前記設定情報は、前記トリガ条件に対応するＫ個のセルと、それぞれ前記Ｋ個のセルに対応する評価時間長とをさらに含み、Ｋが正の整数であり、
前記トリガ条件を満足する時間長が前記評価時間長以上であれば、セル管理動作を実行することは、
前記トリガ条件を満足する時間長が前記Ｋ個のセルのうちのターゲットセルに対応する評価時間長以上であれば、前記ターゲットセルに対して管理動作を実行することを含む、請求項１に記載の方法。
【請求項７】
前記ネットワーク側装置によって送信された設定情報を受信した後、
前記トリガ条件を満足すると検出すれば、前記ターゲットセルに対応するタイマーを起動し、かつ前記トリガ条件を満足しないと検出する場合に前記ターゲットセルに対応するタイマーを停止することをさらに含み、
前記トリガ条件を満足する時間長が前記Ｋ個のセルのうちのターゲットセルに対応する評価時間長以上であれば、前記ターゲットセルに対して管理動作を実行することは、
前記ターゲットセルに対応するタイマーがタイムアウトすれば、前記ターゲットセルに対して管理動作を実行することを含み、前記ターゲットセルに対応するタイマーのタイミング閾値が前記ターゲットセルに対応する評価時間長以上である、請求項６に記載の方法。
【請求項８】
ネットワーク側装置に適用されるセル管理方法であって、
端末にセル管理動作を実行させるようにトリガするトリガ条件と評価時間長とを含む設定情報を前記端末に送信することを含む、セル管理方法。
【請求項９】
前記設定情報は、前記トリガ条件に対応するＮ個の管理情報と、それぞれ前記Ｎ個の管理情報に対応する評価時間長とをさらに含み、Ｎが正の整数である、請求項８に記載の方法。
【請求項１０】
前記設定情報は、前記トリガ条件に対応するＫ個のセルと、それぞれ前記Ｋ個のセルに対応する評価時間長とをさらに含み、Ｋが正の整数である、請求項８に記載の方法。
【請求項１１】
ネットワーク側装置によって送信された、前記端末にセル管理動作を実行させるようにトリガするトリガ条件と評価時間長とを含む設定情報を受信する受信モジュールと、
前記トリガ条件を満足する時間長が前記評価時間長よりも短ければ、セル管理動作の実行を放棄し、及び／又は、前記トリガ条件を満足する時間長が前記評価時間長以上であれば、セル管理動作を実行する管理モジュールと、を含む端末。
【請求項１２】
ネットワーク側装置によって送信された設定情報を受信した後、前記トリガ条件を満足すると検出すれば、前記トリガ条件に対応するタイマーを起動し、かつ前記トリガ条件を満足しないと検出する場合に前記トリガ条件に対応するタイマーを停止する第１の制御モジュールをさらに含む、請求項１１に記載の端末。
【請求項１３】
前記管理モジュールは、具体的には、
前記トリガ条件に対応するタイマーがタイムアウトする前に停止すれば、セル管理動作の実行を放棄し、及び／又は、前記トリガ条件に対応するタイマーがタイムアウトすれば、セル管理動作を実行し、前記トリガ条件に対応するタイマーのタイミング閾値が前記評価時間長以上である、請求項１２に記載の端末。
【請求項１４】
前記設定情報は、前記トリガ条件に対応するＮ個の管理情報と、それぞれ前記Ｎ個の管理情報に対応する評価時間長とをさらに含み、Ｎが正の整数であり、
前記管理モジュールは、具体的には、
前記トリガ条件を満足する時間長が前記Ｎ個の管理情報中のターゲット管理情報に対応する評価時間長以上であれば、セルに対して前記ターゲット管理情報に対応する管理動作を実行する、請求項１１に記載の端末。
【請求項１５】
ネットワーク側装置によって送信された設定情報を受信した後、前記トリガ条件を満足すると検出すれば、前記ターゲット管理情報に対応するタイマーを起動し、かつ前記トリガ条件を満足しないと検出する場合に前記ターゲット管理情報に対応するタイマーを停止する第２の制御モジュールをさらに含み、
前記管理モジュールは、具体的には、
前記ターゲット管理情報に対応するタイマーがタイムアウトすれば、セルに対して前記ターゲット管理情報に対応する管理動作を実行し、前記ターゲット管理情報に対応するタイマーのタイミング閾値が前記ターゲット管理情報に対応する評価時間長以上である、請求項１４に記載の端末。
【請求項１６】
前記設定情報は、前記トリガ条件に対応するＫ個のセルと、それぞれ前記Ｋ個のセルに対応する評価時間長とをさらに含み、Ｋが正の整数であり、
前記管理モジュールは、具体的には、
前記トリガ条件を満足する時間長が前記Ｋ個のセルのうちのターゲットセルに対応する評価時間長以上であれば、前記ターゲットセルに対して管理動作を実行する、請求項１１に記載の端末。
【請求項１７】
ネットワーク側装置によって送信された設定情報を受信した後、前記トリガ条件を満足すると検出すれば、前記ターゲットセルに対応するタイマーを起動し、かつ前記トリガ条件を満足しないと検出する場合に前記ターゲットセルに対応するタイマーを停止する第３の制御モジュールをさらに含み、
前記管理モジュールは、具体的には、
前記ターゲットセルに対応するタイマーがタイムアウトすれば、前記ターゲットセルに対して管理動作を実行し、前記ターゲットセルに対応するタイマーのタイミング閾値が前記ターゲットセルに対応する評価時間長以上である、請求項１６に記載の端末。
【請求項１８】
端末にセル管理動作を実行させるようにトリガするトリガ条件と評価時間長とを含む設定情報を前記端末に送信する送信モジュールを含む、ネットワーク側装置。
【請求項１９】
前記設定情報は、前記トリガ条件に対応するＮ個の管理情報と、それぞれ前記Ｎ個の管理情報に対応する評価時間長とをさらに含み、Ｎが正の整数である、請求項１８に記載のネットワーク側装置。
【請求項２０】
前記設定情報は、前記トリガ条件に対応するＫ個のセルと、それぞれ前記Ｋ個のセルに対応する評価時間長とをさらに含み、Ｋが正の整数である、請求項１８に記載のネットワーク側装置。
【請求項２１】
プロセッサと、メモリと、前記メモリに記憶されて前記プロセッサ上で実行可能で、前記プロセッサによって実行されると、請求項１〜７のいずれか１項に記載のセル管理方法を実現するコンピュータプログラムとを含む、端末。
【請求項２２】
プロセッサと、メモリと、前記メモリに記憶されて前記プロセッサ上で実行可能で、前記プロセッサによって実行されると、請求項８〜１０のいずれか１項に記載のセル管理方法を実現するコンピュータプログラムとを含む、ネットワーク側装置。
【請求項２３】
プロセッサによって実行されると、請求項１〜７のいずれか１項に記載のセル管理方法又は請求項８〜１０のいずれか１項に記載のセル管理方法を実現するコンピュータプログラムが記憶されている、コンピュータ可読記憶媒体。
【発明の詳細な説明】
【技術分野】
【０００１】
関連出願の相互参照
本願は、２０１８年６月１５日に提出された中国特許出願第２０１８１０６２３２４６．２号の優先権を主張するものであり、その全ての内容は参照により本願に組み込まれるものとする。
本開示は、通信の技術分野に関し、特にセル管理方法、端末及びネットワーク側装置に関する。
【背景技術】
【０００２】
セル管理効率を向上させるために、条件付きトリガの方式でセルを管理することができ、管理方式は、セルの追加、削除、修正又は切替を含んでよい。
【０００３】
条件付きセル管理方式は、ネットワーク側装置が、端末によって報告された測定結果に基づいて端末に対して１つ以上の候補ターゲットセルを予め用意し、かつ候補ターゲットセルリスト、候補ターゲットセルに対応する管理トリガ条件、及び候補ターゲットセルに対応するリソース設定などを含む条件付き管理コマンドを端末に送信し、端末が、条件付き管理コマンドを受信し、かつ候補セルが予め設定された管理トリガ条件を満足すると決定した直後に、該候補セルに対する管理動作を実行することであり、該候補セルをターゲットセルと見なすことができる。しかしながら、チャネル品質、例えば、測定されたＲＳＲＰ（Ｒｅｆｅｒｅｎｃｅ  Ｓｙｍｂｏｌ  Ｒｅｃｅｉｖｅｄ  Ｐｏｗｅｒ、参照シンボル受信電力）の変化が速いため、頻繁なセル管理を招きやすい。
【０００４】
例えば、条件付き切替（即ち、Ｃｏｎｄｉｔｉｏｎａｌ  Ｈａｎｄｏｖｅｒ）を行う場合、端末は、切替トリガ条件を満足した直後にターゲットセルに切り替える。しかしながら、チャネル品質、例えば、測定されたＲＳＲＰ（Ｒｅｆｅｒｅｎｃｅ  Ｓｙｍｂｏｌ  Ｒｅｃｅｉｖｅｄ  Ｐｏｗｅｒ、参照シンボル受信電力）の変化が速いため、端末がターゲットセルに切り替えた後、ソースセルの信号品質が良くなり、ネットワーク側装置は端末がソースセルに切り替え直すように制御する場合があり、頻繁なセル切替、例えば、ピンポン切替が発生する。
【０００５】
チャネル品質の変化に起因する頻繁なセル管理動作は、現在、迅速な解决が待たれる技術的課題であることが分かっている。
【発明の概要】
【発明が解決しようとする課題】
【０００６】
本開示は、関連技術における、チャネル品質の変化に起因する頻繁なセル管理動作の課題を解決するためにセル管理方法、端末及びネットワーク側装置を提供する。
【課題を解決するための手段】
【０００７】
上記技術的課題を解決するために、本開示は以下のように実現される。
【０００８】
第１の態様では、本開示の実施例に係る、端末に適用されるセル管理方法は、
ネットワーク側装置によって送信された、前記端末にセル管理動作を実行させるようにトリガするトリガ条件と評価時間長とを含む設定情報を受信することと、
前記トリガ条件を満足する時間長が前記評価時間長よりも短ければ、セル管理動作の実行を放棄し、及び／又は、前記トリガ条件を満足する時間長が前記評価時間長以上であれば、セル管理動作を実行することと、を含む。
【０００９】
第２の態様では、本開示の実施例に係る、ネットワーク側装置に適用されるセル管理方法は、
端末にセル管理動作を実行させるようにトリガするトリガ条件と評価時間長とを含む設定情報を前記端末に送信することを含む。
【００１０】
第３の態様では、本開示の実施例に係る端末は、
ネットワーク側装置によって送信された、前記端末にセル管理動作を実行させるようにトリガするトリガ条件と評価時間長とを含む設定情報を受信する受信モジュールと、
前記トリガ条件を満足する時間長が前記評価時間長よりも短ければ、セル管理動作の実行を放棄し、及び／又は、前記トリガ条件を満足する時間長が前記評価時間長以上であれば、セル管理動作を実行する管理モジュールと、を含む。
【００１１】
第４の態様では、本開示の実施例に係るネットワーク側装置は、
端末にセル管理動作を実行させるようにトリガするトリガ条件と評価時間長とを含む設定情報を前記端末に送信する送信モジュールを含む。
【００１２】
第５の態様では、本開示の実施例に係る端末は、プロセッサと、メモリと、前記メモリに記憶されて前記プロセッサ上で実行可能で、前記プロセッサによって実行されると、上記端末に適用されるセル管理方法を実現するコンピュータプログラムとを含む。
【００１３】
第６の態様では、本開示の実施例に係るネットワーク側装置は、プロセッサと、メモリと、前記メモリに記憶されて前記プロセッサ上で実行可能で、前記プロセッサによって実行されると、上記ネットワーク側装置に適用されるセル管理方法を実現するコンピュータプログラムとを含む。
【００１４】
第７の態様では、本開示の実施例に係るコンピュータ可読記憶媒体には、プロセッサによって実行されると、上記端末に適用されるセル管理方法又は上記ネットワーク側装置に適用されるセル管理方法を実現するコンピュータプログラムが記憶されている。
【発明の効果】
【００１５】
本開示の実施例において、ネットワーク側装置によって送信された、前記端末にセル管理動作を実行させるようにトリガするトリガ条件と評価時間長とを含む設定情報を受信し、前記トリガ条件を満足する時間長が前記評価時間長よりも短ければ、セル管理動作の実行を放棄し、及び／又は、前記トリガ条件を満足する時間長が前記評価時間長以上であれば、セル管理動作を実行する。以上より、本開示の実施例に係る端末は、前記評価時間長にわたって前記トリガ条件を満足してこそ、セル管理動作の実行を許可することができるため、チャネル品質の変化に起因する頻繁なセル管理動作を低減することができる。
【図面の簡単な説明】
【００１６】
本開示の実施例に係る技術手段をより明確に説明するために、以下、本開示の実施例の説明に必要な図面を簡単に説明し、明らかに、以下に説明される図面は、本開示のいくつかの実施例に過ぎず、当業者であれば、創造的な労働をしない前提で、これらの図面に基づいて他の図面を得ることができる。
【００１７】
【図１】本開示の実施例に係る条件付き切替のフローチャートである。
【図２】本開示の実施例が適用可能なネットワークシステムの構成図である。
【図３】本開示の実施例に係るセル管理方法のフローチャート（その１）である。
【図４】本開示の実施例に係るセル管理方法のフローチャート（その２）である。
【図５】本開示の実施例に係る端末の構成図（その１）である。
【図６】本開示の実施例に係るネットワーク側装置の構成図（その１）である。
【図７】本開示の実施例に係る端末の構成図（その２）である。
【図８】本開示の実施例に係るネットワーク側装置の構成図（その２）である。
【発明を実施するための形態】
【００１８】
以下、本開示の実施例における図面を参照しながら、本開示の実施例における技術手段を明確かつ完全的に説明する。明らかに、説明される実施例は、本開示の実施例の一部に過ぎず、全てではない。本開示の実施例に基づいて、当業者が創造的な労働をしない前提で得る他の全ての実施例は、いずれも本開示の保護範囲に属するものである。
【００１９】
本願の明細書及び特許請求の範囲における用語「第１」、「第２」などは、類似した対象を区別するためのものであり、必ずしも特定の順序又は優先順位を説明するためのものではない。ここで説明した本願の実施例が、例えばここでの図示説明又は説明以外の順序でも実施できるように、このように使用されたデータは、適宜入れ替えてもよいことを理解されたい。また、用語「含む」、「備える」及びそれらのいかなる変形は、非排他的な包含をカバーすることを意図し、例えば、一連のステップ又はユニットを含むプロセス、方法、システム、製品又は装置は、明確に示されたステップ又はユニットに限定されず、明確に示されていないか又はこれらのプロセス、方法、システム、製品又は装置に固有の、他のステップ又はユニットを含んでもよい。また、明細書及び特許請求の範囲において「及び／又は」を用いるのは、接続対象の少なくとも１つを表し、例えば、Ａ及び／又はＢ及び／又はＣは、Ａが単独で存在し、Ｂが単独で存在し、Ｃが単独で存在し、Ａ及びＢが同時に存在し、Ｂ及びＣが同時に存在し、Ａ及びＣが同時に存在し、Ａ、Ｂ及びＣが同時に存在するという７種類の場合を表す。
【００２０】
理解を容易にするために、以下、本開示の実施例に係るいくつかの用語を説明する。
【００２１】
条件付き切替：
本開示の実施例において、条件付き切替プロセスは以下のステップＳ１〜Ｓ８を含んでよい。
【００２２】
ステップＳ１では、ソースノードは、１つのターゲットノード又は複数のターゲットノードに切替要求（Ｈａｎｄｏｖｅｒ  Ｒｅｑｕｅｓｔ、ＨＯ  Ｒｅｑｕｅｓｔと略称する）を送信する。
【００２３】
例えば、図１において、ソースノードがターゲットノードａとターゲットノードｂに切替要求を送信することを例として説明する。
【００２４】
ステップＳ２では、ターゲットノードは、ソースノードに切替確認情報、即ち、切替要求応答（ＨＯ  Ｒｅｑｕｅｓｔ  ＡＣＫ）をフィードバックする。
【００２５】
図１に示すように、ターゲットノードａとターゲットノードｂは、それぞれソースノードに切替要求応答を送信する。
【００２６】
ステップＳ３では、ソースノードは、条件付き切替設定（Ｃｏｎｄｉｔｉｏｎａｌ  ＨＯ  Ｃｏｎｆｉｇｕｒａｔｉｏｎ）を端末に送信する。
【００２７】
該ステップでは、ソースノードは、条件付き切替の設定情報を端末に送信し、かつ設定情報の予約（即ち、Ｒｅｓｏｕｒｃｅ  Ｒｅｓｅｒｖａｔｉｏｎ）を行う。
【００２８】
ステップＳ４では、端末は、候補セル条件を評価し、かつ条件を満たす一つのターゲットセルを選択して切替を行う。
【００２９】
該ステップでは、端末は、候補セルの条件を満足するか否かを評価し、かつ条件を満足する１つのターゲットセルを選択して切替を行うことができる。
【００３０】
図１に示すように、端末は、ターゲットノードａとターゲットノードｂの条件を満足するか否かを評価し、端末がターゲットノードａの条件を満足する場合、ターゲットノードａに対してランダムアクセスプロセスを開始することができる。
【００３１】
ステップＳ５では、端末は、選択されたターゲットセルでランダムアクセスプロセスを開始する。
【００３２】
上記ランダムアクセスは、無競合（Ｃｏｎｔｅｎｔｉｏｎ  Ｆｒｅｅ）型ランダムアクセス又は競合型ランダムアクセス（即ち、Ｃｏｎｔｅｎｔｉｏｎ  ｂａｓｅｄ  Ｒａｎｄｏｍ  Ａｃｃｅｓｓ）などを含んでよいことを理解されたい。
【００３３】
図１に示すように、端末は、ターゲットノードａを選択してランダムアクセスを開始する。
【００３４】
ステップＳ６では、端末は、選択されたターゲットノードに切替完了情報を送信する。
【００３５】
図１に示すように、端末は、ターゲットノードａに切替完了情報（即ち、ＨＯ  Ｃｏｍｐｌｅｔｅ）を送信する。
【００３６】
ステップＳ７では、ソースノードは、選択されていない他のターゲットノードに条件付き切替キャンセルコマンドを送信する。
【００３７】
図１に示すように、ソースノードは、ターゲットノードｂに条件付き切替キャンセルコマンド（即ち、Ｃｏｎｄｉｔｉｏｎａｌ  ＨＯ  Ｃａｎｃｅｌｌａｔｉｏｎ）を送信する。
【００３８】
ステップＳ８では、選択されていない他のターゲットノードは、ソースノードに条件付き切替キャンセル確認コマンドを送信する。
【００３９】
図１に示すように、ソースノードは、ターゲットノードｂに条件付き切替キャンセルコマンド（即ち、Ｃｏｎｄｉｔｉｏｎａｌ  ＨＯ  Ｃａｎｃｅｌｌａｔｉｏｎ  Ｃｏｎｆｉｒｍａｔｉｏｎ）を送信する。
【００４０】
デュアル接続：
５Ｇ（５ｔｈ−Ｇｅｎｅｒａｔｉｏｎ、第５世代）システムにおいて、端末は、ＤＣ（Ｄｕａｌ  Ｃｏｎｎｅｃｔｉｖｉｔｙ、デュアル接続）アーキテクチャを採用し、ＭＣＧ（Ｍａｓｔｅｒ  Ｃｅｌｌ  Ｇｒｏｕｐ、マスターセルグループ）とＳＣＧ（Ｓｅｃｏｎｄａｒｙ  Ｃｅｌｌ  Ｇｒｏｕｐ、セカンダリセルグループ）の２つのセルグループを含み、ＭＣＧは、ネットワーク側のＭＮ（Ｍａｓｔｅｒ  Ｎｏｄｅ、マスターノード）に対応し、該ＳＣＧは、ネットワーク側のＳＮ（Ｓｅｃｏｎｄａｒｙ  Ｎｏｄｅ、セカンダリノード）に対応する。ＭＣＧは、ＰＣｅｌｌ（Ｐｒｉｍａｒｙ  Ｃｅｌｌ、プライマリセル）とＳＣｅｌｌ（Ｓｅｃｏｎｄａｒｙ  Ｃｅｌｌ、セカンダリセル）を含み、ＳＣＧは、ＰＳＣｅｌｌ（Ｐｒｉｍａｒｙ  Ｓｅｃｏｎｄａｒｙ  Ｃｅｌｌ、プライマリセカンダリセル）とＳＣｅｌｌを含む。ＰＣｅｌｌとＰＳＣｅｌｌは、ＳｐＣｅｌｌ（Ｓｐｅｃｉａｌ  Ｃｅｌｌ、特殊セル）と総称してよい。
【００４１】
図２を参照すると、図２は、本開示の実施例が適用可能なネットワークシステムの構成図であり、図２に示すように、ネットワークを介して通信可能な端末２１、ソースノード２２及びターゲットノード２３を含む。
【００４２】
本開示の実施例において、端末２１は、端末又はユーザ端末（Ｕｓｅｒ  Ｅｑｕｉｐｍｅｎｔ、ＵＥ）と称してよく、端末２１は、携帯電話、タブレットコンピュータ（Ｔａｂｌｅｔ  Ｐｅｒｓｏｎａｌ  Ｃｏｍｐｕｔｅｒ）、ラップトップパソコン（Ｌａｐｔｏｐ  Ｃｏｍｐｕｔｅｒ）、パーソナルディジタルアシスタント（Ｐｅｒｓｏｎａｌ  Ｄｉｇｉｔａｌ  Ａｓｓｉｓｔａｎｔ、ＰＤＡ）、モバイルインターネットデバイス（Ｍｏｂｉｌｅ  Ｉｎｔｅｒｎｅｔ  Ｄｅｖｉｃｅ、ＭＩＤ）、ウェアラブルデバイス（Ｗｅａｒａｂｌｅ  Ｄｅｖｉｃｅ）又は車載装置などの端末側装置であってよく、なお、本開示の実施例において、端末２１の具体的なタイプを限定しない。
【００４３】
ソースノード２２は、端末２１が現在接続しているネットワークノードのうちの１つであってよく、例えば、端末２１が現在接続しているネットワークノードがＭＮとＳＮを含むと、上記ソースノード２２はＭＮとＳＮのいずれかであってよい。
【００４４】
ターゲットノード２３は、端末２１が現在接続しているネットワークノードのうちのネットワークノードであってもよく、端末２１が現在接続しないネットワークノードであってもよい。本開示の実施例において、端末２１が行うセル設定は、セル追加、セル削除、セル修正及びセル切替のうちの少なくとも１つの設定を含んでよいため、端末２１は、セル設定を行う過程において、ターゲットノード２３と接続を確立したり、ターゲットノード２３との接続を削除したり、ターゲットノード２３の設定情報を修正したりする場合がある。
【００４５】
また、本開示の実施例において適用されるネットワーク構造は、１つ以上のターゲットノード２３を含んでよく、図において１つのターゲットノード２３を含むことを例とする。
【００４６】
ネットワークノードは、５Ｇ及びより新しいバージョンの基地局（例えば、５Ｇ  ＮＲ  ＮＢ）、又は他の通信システムにおける基地局であってよく、或いは、ノードＢ、進化型ノードＢ、ＭＮ、ＳＮ又は上記分野における他の用語と呼ばれ、同じ技術的効果を達成するものであれば、上記基地局は特定の技術用語に限定されない。
【００４７】
本開示の実施例に係るセル管理方法は、条件付き切替プロセスに適用されてもよく、即ち、ソースノード２２とターゲットノード２３は、条件付き切替プロセスにおけるソース基地局とターゲット基地局であってよく、上記管理方法は、ＤＣアーキテクチャに適用されてもよく、即ち、上記ソースノード２２とターゲットノード２３は、ＤＣアーキテクチャにおけるソースＳＮとターゲットＳＮ、又はＤＣアーキテクチャにおけるソースＭＮとターゲットＳＮであってよい。
【００４８】
なお、本開示の実施例における端末２１、ソースノード２２及びターゲットノード２３の具体的な機能については、以下の複数の実施例を参照しながら具体的に説明する。
【００４９】
図３を参照すると、図３は、本開示の実施例に係るセル管理方法のフローチャート（その１）である。本実施例のセル管理方法は、端末に適用される。図３に示すように、本実施例のセル管理方法は以下のステップ３０１とステップ３０２を含む。
【００５０】
ステップ３０１では、ネットワーク側装置によって送信された、上記端末にセル管理動作を実行させるようにトリガするトリガ条件と評価時間長とを含む設定情報を受信する。
本実施例において、ネットワーク側装置は、無線リソース制御（Ｒａｄｉｏ  Ｒｅｓｏｕｒｃｅ  Ｃｏｎｔｒｏｌ、ＲＲＣ）メッセージにより上記設定情報を送信することができ、当然のことながら、本開示の実施例はこれを限定せず、例えば、他のダウンリンクメッセージであってよい。
【００５１】
本実施例において、設定情報は、評価時間長（又は評価時間間隔情報と呼ばられる）を含み、トリガ条件の時間長を評価し、端末が少なくとも該評価時間間隔内にわたってセル管理をトリガするトリガ条件を満足してこそ、セルに対する管理動作の実行を許可できることを示す。上記評価時間長を決定するノードは、セルを管理するソースノード又はターゲットノード、例えば、切替プロセスにおけるソース基地局又はターゲット基地局であってよい。
【００５２】
上記設定情報中のトリガ条件（又はトリガイベント、ｅｖｅｎｔと呼ばれる）は、端末がトリガ条件を満足する場合に、セル管理動作を実行できることを示す。セル管理動作の実行は、セル追加、セル削除、セル修正及びセル切替のうちの少なくとも１つを含むが、これらに限定されない。
【００５３】
上記設定情報中のトリガ条件は、セル管理動作をトリガする閾値を含んでよいが、これに限定されない。さらに、上記設定情報中のトリガ条件は、セル管理動作をトリガする測定パラメータをさらに含んでよく、測定パラメータは、ＲＳＲＰ（Ｒｅｆｅｒｅｎｃｅ  Ｓｉｇｎａｌ  Ｒｅｃｅｉｖｉｎｇ  Ｐｏｗｅｒ、参照信号受信電力）、ＲＳＲＱ（Ｒｅｆｅｒｅｎｃｅ  Ｓｉｇｎａｌ  Ｒｅｃｅｉｖｉｎｇ  Ｑｕａｌｉｔｙ、参照信号受信品質）、及びＳＩＮＲ（Ｓｉｇｎａｌ  ｔｏ  Ｉｎｔｅｒｆｅｒｅｎｃｅ  Ｐｌｕｓ  Ｎｏｉｓｅ  Ｒａｔｉｏ、信号対干渉雑音比）などのうちの少なくとも１つを含んでよいが、これらに限定されない。
【００５４】
実際の応用では、トリガ条件は、１つ以上のセルの測定パラメータであってよく、例えば、ＲＳＲＰの測定結果がネットワーク設定の閾値を満足し、例示的には、サービングセル１のＲＳＲＰの測定結果が閾値より低く、かつ隣接セル２のＲＳＲＰの測定結果が閾値より高い。
【００５５】
なお、本実施例の設定情報は、１つ以上のトリガ条件を含んでよい。設定情報が複数のトリガ条件を含むシーンにおいて、ステップ３０１におけるトリガ条件は上記複数のトリガ条件のうちのいずれか１つのトリガ条件であると理解されてよく、設定情報が１つのトリガ条件のみを含むシーンにおいて、ステップ３０１におけるトリガ条件は該トリガ条件である。
【００５６】
また、上記設定情報中のトリガ条件と評価時間長には、対応関係がある。トリガ条件と評価時間長は１対１、１対多、又は多対１の対応関係であってよく、具体的には、実際の必要に応じて决定できるため、本開示の実施例はこれを限定しない。
【００５７】
例えば、端末は、ネットワーク側装置に設定されたトリガ条件を満足すると検出した後、上記トリガ条件に対応する評価時間長にわたって上記トリガ条件を満足するか否かの評価を開始して、評価結果に応じてステップ３０２を実行することができる。
【００５８】
上記設定情報に含まれるトリガ条件はトリガ条件の識別情報（ｃｏｎｄｉｔｉｏｎ  ＩＤ）であると理解できることを理解されたい。このように、トリガ条件の識別情報によるトリガ条件の識別、又は該識別情報によるトリガ条件と評価時間長との関連付けを実現することができる。
【００５９】
当然のことながら、上記設定情報がトリガ条件を含むことについては、設定情報はトリガ条件のみを含んでもよく、トリガ条件に加えて、トリガ条件に対応する識別情報をさらに含んでもよい。
【００６０】
ステップ３０２では、上記トリガ条件を満足する時間長が上記評価時間長よりも短ければ、セル管理動作の実行を放棄し、及び／又は、上記トリガ条件を満足する時間長が上記評価時間長以上であれば、セル管理動作を実行する。
【００６１】
本実施例において、端末は、受信した設定情報に基づいてトリガ条件の評価を行い、上記設定情報中のトリガ条件を満足するか否かを評価する。
【００６２】
具体的に実現するときに、端末は、上記設定情報を受信した後、上記トリガ条件に対応する測定動作を実行し、かつ該測定動作の測定結果が上記トリガ条件を満足するか否かを検出することができる。例えば、測定結果ＲＳＲＰ値がｅｖｅｎｔ  １で指示されるＲＳＲＰ閾値を超えるか否かを検出する。
【００６３】
測定結果が上記トリガ条件を満足すると検出すれば、端末は、測定動作を継続して実行し、かつ測定結果が上記トリガ条件を満足する時間長（又は、持続時間長と呼ばれる）を記録して、上記時間長と上記評価時間長を比較する。
【００６４】
上記トリガ条件を満足する時間長が上記評価時間長よりも短ければ、セル管理動作の実行を放棄し、即ち、セル管理動作を実行せず、及び／又は、上記トリガ条件を満足する時間長が上記評価時間長以上であれば、セル管理動作の実行を許可することができる。それにより、少なくとも上記評価時間長内に端末がセル管理動作を実行しないため、チャネル品質の変化に起因する頻繁なセル管理動作を低減することができる。
【００６５】
本実施例のセル管理方法では、ネットワーク側装置によって送信された、上記端末にセル管理動作を実行させるようにトリガするトリガ条件と評価時間長とを含む設定情報を受信し、上記トリガ条件を満足する時間長が上記評価時間長よりも短ければ、セル管理動作の実行を放棄し、及び／又は、上記トリガ条件を満足する時間長が上記評価時間長以上であれば、セル管理動作を実行する。以上より、本開示の実施例に係る端末は、上記評価時間長にわたって上記トリガ条件を満足してこそ、セル管理動作の実行を許可できるため、チャネル品質の変化に起因する頻繁なセル管理動作を低減することができる。
【００６６】
本開示の実施例において、端末は、様々な方式で上記トリガ条件を満足する時間長を記録することができる。好ましくは、上記ネットワーク側装置によって送信された設定情報を受信した後、上記方法は、
上記トリガ条件を満足すると検出すれば、上記トリガ条件に対応するタイマーを起動し、かつ上記トリガ条件を満足しないと検出する場合に上記トリガ条件に対応するタイマーを停止することをさらに含む。
【００６７】
つまり、端末は、上記トリガ条件に対応するタイマーを起動した後、上記トリガ条件を満足しないと検出すれば、上記トリガ条件に対応するタイマーを停止する。
【００６８】
以上より、上記トリガ条件に対応するタイマー（又は条件評価タイマーと呼ばれ、例えば、ｔｉｍｅ  Ｔｏ  Ｔｒｉｇｇｅｒ  Ｔｉｍｅｒ）は、端末が上記トリガ条件を満足すると検出するときに起動し、かつ端末が上記トリガ条件を満足しないと検出するときに停止することができる。つまり、上記トリガ条件に対応するタイマーが動作している間、端末は常に上記トリガ条件を満足する。したがって、上記トリガ条件に対応するタイマーの動作時間長は、上記トリガ条件を満足する時間長（又は持続時間長と呼ばれる）を表すことができる。
【００６９】
なお、上記設定情報に含まれる複数のトリガ条件のうちの２つ以上のトリガ条件を満足する適用シーンに対して、端末は、満足する異なるトリガ条件に対して異なるタイマーを起動することができる。理解を容易にするために、トリガ条件１とトリガ条件２を満足することを例として説明すると、端末は、それぞれトリガ条件１に対応するタイマーとトリガ条件２に対応するタイマーを起動することができる。また、端末はトリガ条件１に対応するセル管理動作を実行した後、トリガ条件２に対応するタイマーを停止することができるため、端末の消費電力を削減することができる。
【００７０】
また、他の実施形態では、端末は、上記トリガ条件に対応するタイマーを起動する方式などの他の方式で、上記トリガ条件を満足する持続時間長を記録することができる。
【００７１】
本実施例において、上記トリガ条件に対応するタイマーのタイミング閾値が上記トリガ条件に対応する評価時間長以上であれば、端末は、上記トリガ条件に対応するタイマーがタイムアウトするか否かの判定結果によって、セル管理動作を実行するか否かを決定することができ、具体的には、以下のように説明する。
【００７２】
好ましくは、上記トリガ条件を満足する時間長が上記評価時間長よりも短ければ、セル管理動作の実行を放棄し、及び／又は、上記トリガ条件を満足する時間長が上記評価時間長以上であれば、セル管理動作を実行することは、具体的には、以下のとおりであってよい。
【００７３】
上記トリガ条件に対応するタイマーがタイムアウトする前に停止すれば、セル管理動作の実行を放棄し、及び／又は、上記トリガ条件に対応するタイマーがタイムアウトすれば、セル管理動作を実行し、上記トリガ条件に対応するタイマーのタイミング閾値が上記評価時間長以上である。
【００７４】
以上から分かるように、上記端末は、上記トリガ条件を満足しないと検出した場合に上記トリガ条件に対応するタイマーを停止するため、上記トリガ条件に対応するタイマーがタイムアウトする前に停止すれば、上記トリガ条件を満足する持続時間長が上記評価時間長よりも短い可能性が高いことを示し、端末はセル管理動作の実行を放棄することができる。
【００７５】
なお、上記トリガ条件に対応するタイマーのタイミング閾値が上記評価時間長より大きい適用シーンに対して、上記タイマーがタイムアウトする前に停止しても、タイマーの動作時間長が上記評価時間長以上である可能性がある。しかしながら、本開示の実施例が解決しようとする課題は、チャネル品質の変化に起因する頻繁なセル管理動作の低減であることを考慮するため、該適用シーンにおいて、端末はセル管理動作の実行を放棄することにより、さらにチャネル品質の変化に起因する頻繁なセル管理動作を低減することができる。
【００７６】
上記トリガ条件に対応するタイマーがタイムアウトすれば、上記トリガ条件を満足する持続時間長が上記評価時間長以上であることを示すため、セル管理動作の実行を許可することができる。
【００７７】
このように、端末は、上記トリガ条件に対応するタイマーがタイムアウトするか否かを決定し、かつ上記トリガ条件に対応するタイマーがタイムアウトしてこそ、セル管理動作の実行を許可することができるため、チャネル品質の変化に起因する頻繁なセル管理動作を低減することができる。
【００７８】
本開示の実施例において、端末に管理動作タイプを知らせるために、好ましくは、上記設定情報は、上記トリガ条件に対応するＮ個の管理情報と、それぞれ上記Ｎ個の管理情報に対応する評価時間長とをさらに含み、Ｎが正の整数であり、
上記トリガ条件を満足する時間長が上記評価時間長以上であれば、セル管理動作を実行することは、
上記トリガ条件を満足する時間長が上記Ｎ個の管理情報中のターゲット管理情報に対応する評価時間長以上であれば、セルに対して上記ターゲット管理情報に対応する管理動作を実行することを含む。
【００７９】
管理情報は、管理動作タイプを指示し、添加、削除、修正又は切替動作のうちの少なくとも１つを含むが、これらに限定されない。
【００８０】
管理情報と評価時間長には、対応関係があり、管理情報と評価時間長は１対１、多対１の対応関係であってよく、具体的には、実際の必要に応じて决定できるため、本開示の実施例はこれを限定しない。例示的には、トリガイベント１は管理情報１と管理情報２に対応し、管理情報１がターゲットセル１の切替コマンドであり、管理情報２がターゲットセル２の切替コマンドであり、かつ管理情報１が評価時間長Ｔ１に対応し、管理情報２が評価時間長Ｔ２に対応する。ターゲット管理情報に対応する評価時間長は、トリガイベント１に対応する管理情報１の評価時間長Ｔ１として表すことができる。
【００８１】
本実施例において、上記トリガ条件を満足する時間長が上記評価時間長よりも短ければ、セル管理動作の実行を放棄し、及び／又は、上記トリガ条件を満足する時間長が上記評価時間長以上であれば、セル管理動作を実行することは、以下のとおりであってよい。
【００８２】
上記トリガ条件を満足する時間長が上記Ｎ個の管理情報中のターゲット管理情報に対応する評価時間長よりも短ければ、セルに対して上記ターゲット管理情報に対応する管理動作の実行を放棄し、及び／又は、上記トリガ条件を満足する時間長が上記ターゲット管理情報に対応する評価時間長以上であれば、セルに対して上記ターゲット管理情報に対応する管理動作を実行する。
【００８３】
例示的には、上記ターゲット管理情報が、管理動作タイプが切替動作である指示であれば、端末はセルに対して切替動作を実行し、即ち、該セルに切り替える。
【００８４】
Ｎが１であれば、ターゲット管理情報は上記トリガ条件に対応する管理情報であり、Ｎが１より大きい正の整数であれば、ターゲット管理情報は上記トリガ条件に対応するいずれかの管理情報であることを理解されたい。
【００８５】
このように、端末は、上記トリガ条件を満足する時間長が上記ターゲット管理情報に対応する評価時間長以上であってこそ、セルに対して上記ターゲット管理情報に対応する管理動作の実行を許可することができるため、チャネル品質の変化に起因する頻繁なセル管理動作を低減することができ、同時にセルに対して上記ターゲット管理情報に対応する管理動作を実行することにより、管理動作の正確性を向上させることができる。
【００８６】
上記設定情報が上記トリガ条件に対応するＮ個の管理情報と、それぞれ上記Ｎ個の管理情報に対応する評価時間長とをさらに含み、Ｎが正の整数である実施例に対して、好ましくは、上記ネットワーク側装置によって送信された設定情報を受信した後、上記方法は、
上記トリガ条件を満足すると検出すれば、上記ターゲット管理情報に対応するタイマーを起動し、かつ上記トリガ条件を満足しないと検出する場合に上記ターゲット管理情報に対応するタイマーを停止することをさらに含み、
上記トリガ条件を満足する時間長が上記Ｎ個の管理情報中のターゲット管理情報に対応する評価時間長以上であれば、セルに対して上記ターゲット管理情報に対応する管理動作を実行することは、
上記ターゲット管理情報に対応するタイマーがタイムアウトすれば、セルに対して上記ターゲット管理情報に対応する管理動作を実行することを含み、上記ターゲット管理情報に対応するタイマーのタイミング閾値が上記ターゲット管理情報に対応する評価時間長以上である。
【００８７】
なお、本実施例の実現方式と「上記トリガ条件を満足すれば、上記トリガ条件に対応するタイマーを起動する」という実施例の実現方式のタイプについては、具体的には、上述した「上記トリガ条件を満足すれば、上記トリガ条件に対応するタイマーを起動する」という実施例の説明を参照すればよく、ここでは説明を省略する。
【００８８】
また、実際の応用では、Ｎが２より大きいシーンに対して、上記トリガ条件を満足すると検出すれば、端末は、異なる管理情報に対して異なるタイマーを起動することができ、かつセルに対してある管理情報に対応する管理動作を実行した後に、他の管理情報に対応するタイマーを停止することができるため、端末の消費電力を削減することができる。
【００８９】
このように、端末は、上記ターゲット管理情報に対応するタイマーがタイムアウトするか否かを決定し、かつ上記ターゲット管理情報に対応するタイマーがタイムアウトしてこそ、セルに対して上記ターゲット管理情報に対応する管理動作の実行を許可することができるため、チャネル品質の変化に起因する頻繁なセル管理動作を低減することができる。
【００９０】
本開示の実施例において、端末に管理すべきターゲットセルを知らせるために、好ましくは、上記設定情報は、上記トリガ条件に対応するＫ個のセルと、それぞれ上記Ｋ個のセルに対応する評価時間長とをさらに含み、Ｋが正の整数であり、
上記トリガ条件を満足する時間長が上記評価時間長以上であれば、セル管理動作を実行することは、
上記トリガ条件を満足する時間長が上記Ｋ個のセルのうちのターゲットセルに対応する評価時間長以上であれば、上記ターゲットセルに対して管理動作を実行することを含む。
【００９１】
セルと評価時間長には、対応関係があり、セルと評価時間長は１対１、多対１の対応関係であってよく、具体的には、実際の必要に応じて决定できるため、本開示の実施例はこれを限定しない。例示的には、トリガイベント１に対応する評価管理対象のセルは、セル１又はセル２を含み、セル１が評価時間長Ｔ３に対応し、セル２が評価時間長Ｔ４に対応する。ターゲットセルに対応する評価時間長は、トリガイベント１に対応するセル１の評価時間長Ｔ３として表すことができる。
【００９２】
本実施例において、上記トリガ条件を満足する時間長が上記評価時間長よりも短ければ、セル管理動作の実行を放棄し、及び／又は、上記トリガ条件を満足する時間長が上記評価時間長以上であれば、セル管理動作を実行することは、以下のとおりであってよい。
【００９３】
上記トリガ条件を満足する時間長が上記Ｋ個のセルのうちのターゲットセルに対応する評価時間長よりも短ければ、ターゲットセルに対する管理動作の実行を放棄し、及び／又は、上記トリガ条件を満足する時間長が上記ターゲットセルに対応する評価時間長以上であれば、ターゲットセルに対して管理動作を実行する。
【００９４】
Ｋが１であれば、ターゲットセルは上記トリガ条件に対応するセルであり、Ｋが１より大きい正の整数であれば、ターゲットセルは上記トリガ条件に対応するいずれかのセルであることを理解されたい。
【００９５】
このように、端末は、上記トリガ条件を満足する時間長が上記ターゲットセルに対応する評価時間長以上であってこそ、ターゲットセルに対する管理動作の実行を許可することができるため、チャネル品質の変化に起因する頻繁なセル管理動作を低減することができ、同時にターゲットセルに対して管理動作を実行することにより、セル管理ターゲットの正確性を向上させることができる。
【００９６】
上記設定情報が上記トリガ条件に対応するＫ個のセルと、それぞれ上記Ｋ個のセルに対応する評価時間長とをさらに含み、Ｋが正の整数である実施例に対して、好ましくは、上記ネットワーク側装置によって送信された設定情報を受信した後、上記方法は、
上記トリガ条件を満足すると検出すれば、上記ターゲットセルに対応するタイマーを起動し、かつ上記トリガ条件を満足しないと検出する場合に上記ターゲットセルに対応するタイマーを停止することをさらに含み、
上記トリガ条件を満足する時間長が上記Ｋ個のセルのうちのターゲットセルに対応する評価時間長以上であれば、上記ターゲットセルに対して管理動作を実行することは、
上記ターゲットセルに対応するタイマーがタイムアウトすれば、上記ターゲットセルに対して管理動作を実行することを含み、上記ターゲットセルに対応するタイマーのタイミング閾値が上記ターゲットセルに対応する評価時間長以上である。
【００９７】
なお、本実施例の実現形態と「上記トリガ条件を満足すれば、上記トリガ条件に対応するタイマーを起動する」という実施例の実現形態のタイプについては、具体的には、上述した「上記トリガ条件を満足すれば、上記トリガ条件に対応するタイマーを起動する」という実施例の説明を参照すればよく、ここでは説明を省略する。
【００９８】
また、実際の応用では、Ｋが２より大きいシーンに対して、上記トリガ条件を満足すると検出すれば、端末は、異なるセルに対して異なるタイマーを起動することができ、かつセルに対してあるセルに対応する管理動作を実行した後に、他のセルに対応するタイマーを停止することができるため、端末の消費電力を削減することができる。
【００９９】
このように、端末は、上記ターゲットセルに対応するタイマーがタイムアウトするか否かを決定し、かつ上記ターゲットセルに対応するタイマーがタイムアウトしてこそ、ターゲットセルに対する管理動作の実行を許可することができるため、チャネル品質の変化に起因する頻繁なセル管理動作を低減することができる。
【０１００】
なお、本開示の実施例において説明された様々な好ましい実施形態は、組み合わせて実現されてもよく、単独で実現されてもよく、本開示の実施例はこれらを限定しない。
【０１０１】
好ましい実施形態が組み合わせて実現される実施例については、理解を容易にするため、以下のように例示的に説明する。
【０１０２】
ステップ１：ネットワーク側装置はＵＥに対して条件付きセル管理の設定情報を設定し、該設定情報の内容は、
ターゲットセル管理をトリガするトリガ条件と、
条件を満足した後にターゲットセルを管理する管理情報と、
トリガ条件を評価する時間間隔情報とを含む。
【０１０３】
該「トリガ条件」は、１つ以上のセルがネットワーク設定の閾値を満足することであってよく、例えば、サービングセル１が閾値１より低く、かつ隣接セル２が閾値より高い。
【０１０４】
該「ターゲットセルを管理する管理情報」は、ソースセルをターゲットセルに切り替える管理情報、例えば、切替コマンドであってよい。
【０１０５】
該「トリガ条件を評価する時間間隔情報」は、
トリガ条件に対応する評価時間間隔情報（例えば、トリガイベント１の評価時間間隔）と、
トリガ条件に対応する設定情報の評価時間間隔情報（例えば、トリガイベント１が複数の設定情報に対応し、設定情報１がターゲットセル１の切替コマンドであり、設定情報２がターゲットセル２の切替コマンドである場合、該時間間隔情報がトリガイベント１に対応する設定情報１の評価時間間隔であってよい）と、
トリガ条件に対応するセルの評価時間間隔情報（例えば、トリガ条件１に対応する切替評価対象のセルがセル１又はセル２を含む場合、該時間間隔情報がトリガイベント１に対応する切替評価対象のセル１の評価時間間隔であってよい）とのうちの１つ、又は複数の任意の組み合わせを含む。
【０１０６】
該「トリガ条件を評価する時間間隔情報」を決定するノードは、ターゲットセルを管理するソースノード又はターゲットノード、例えば、切替プロセスにおけるソース基地局又はターゲット基地局であってよい。
【０１０７】
ステップ２：ステップ１での設定情報に基づいて、ＵＥはトリガ条件の評価を行い、ネットワーク設定のトリガ条件を満足するか否かを評価し、例えば、「サービングセル１が閾値１より低く、かつ隣接セル２が閾値より高い」ことを満足するか否かを評価する。ＵＥは、ネットワーク設定のトリガ条件を満足した後、該トリガ条件が一定の時間間隔にわたって満足されるか否かを評価し、そうであれば、該トリガ条件に対応する設定情報を実行する。例えば、時間Ｔ内に「サービングセル１が閾値１より低く、かつ隣接セル２が閾値より高い」ことを満足すれば、ＵＥはターゲットセル１に切り替える。
【０１０８】
ＵＥ動作は、以下の１つ又は複数の任意の組み合わせを含む。
【０１０９】
トリガ条件を満足した後、条件評価タイマー（ｔｉｍｅ  Ｔｏ  Ｔｒｉｇｇｅｒ  Ｔｉｍｅｒ）を起動する。
【０１１０】
条件評価タイマーが動作している間、トリガ条件が満足されなくなれば、該条件評価タイマーを停止する。
【０１１１】
条件評価タイマーがタイムアウトした後、該トリガ条件に対応する設定情報を実行し、例えば、ターゲットセル１に切り替える切替コマンドを実行する。
【０１１２】
ＵＥは、異なるトリガ条件に対して異なる条件評価タイマーを起動することができる。
【０１１３】
ＵＥは、同一のトリガ条件の異なるターゲットセルに対して異なる条件評価タイマーを起動することができる。
【０１１４】
追加的に、ＵＥは、トリガ条件に対応する設定情報を実行した後、他の条件評価タイマーを停止する。
【０１１５】
本実施例のセル管理方法は、少なくとも以下の改善点を有する。
【０１１６】
条件トリガの評価時間を導入し、該評価時間間隔にわたってセル管理をトリガするトリガ条件を満足してこそ、セルに対する管理動作の実行を許可することができる。
【０１１７】
このように、本実施例のセル管理方法により、ネットワーク側装置は、ＵＥがトリガ条件を評価する時間間隔を制御でき、評価時間間隔にわたってトリガ条件を満足してこそ、セル管理動作を実行することができるため、チャネル品質の変化などに起因する頻繁なセル管理動作を低減することができる。
【０１１８】
図４を参照すると、図４は、本開示の実施例に係るセル管理方法のフローチャート（その２）である。本実施例のセル管理方法は、ネットワーク側装置に適用され、ネットワーク側装置はソースノード又はターゲットノードであってよい。図４に示すように、本実施例のセル管理方法は以下のステップ４０１を含む。
【０１１９】
ステップ４０１では、端末にセル管理動作を実行させるようにトリガするトリガ条件と評価時間長とを含む設定情報を上記端末に送信する。
【０１２０】
好ましくは、上記設定情報は、上記トリガ条件に対応するＮ個の管理情報と、それぞれ上記Ｎ個の管理情報に対応する評価時間長とをさらに含み、Ｎが正の整数である。
【０１２１】
好ましくは、上記設定情報は、上記トリガ条件に対応するＫ個のセルと、それぞれ上記Ｋ個のセルに対応する評価時間長とをさらに含み、Ｋが正の整数である。
【０１２２】
なお、本実施例は上記方法の実施例に対応する移動通信端末の実施形態であるため、上記方法の実施例における関連説明を参照すればよく、かつ同じ有益な効果を達成することができる。重複を避けるために、ここでは説明を省略する。
【０１２３】
図５を参照すると、図５は、本開示の実施例に係る端末の構成図（その１）である。図５に示すように、端末５００は、
ネットワーク側装置によって送信された、上記端末にセル管理動作を実行させるようにトリガするトリガ条件と評価時間長とを含む設定情報を受信する受信モジュール５０１と、
上記トリガ条件を満足する時間長が上記評価時間長よりも短ければ、セル管理動作の実行を放棄し、及び／又は、上記トリガ条件を満足する時間長が上記評価時間長以上であれば、セル管理動作を実行する管理モジュール５０２とを含む。
【０１２４】
図５を基に、以下、端末５００にさらに含まれるモジュールを説明する。
【０１２５】
第１の制御モジュールは、ネットワーク側装置によって送信された設定情報を受信した後、上記トリガ条件を満足すると検出すれば、上記トリガ条件に対応するタイマーを起動し、かつ上記トリガ条件を満足しないと検出する場合に上記トリガ条件に対応するタイマーを停止する。
【０１２６】
好ましくは、上記管理モジュール５０２は、具体的には、
上記トリガ条件に対応するタイマーがタイムアウトする前に停止すれば、セル管理動作の実行を放棄し、及び／又は、上記トリガ条件に対応するタイマーがタイムアウトすれば、セル管理動作を実行し、上記トリガ条件に対応するタイマーのタイミング閾値が上記評価時間長以上である。
【０１２７】
好ましくは、上記設定情報は、上記トリガ条件に対応するＮ個の管理情報と、それぞれ上記Ｎ個の管理情報に対応する評価時間長とをさらに含み、Ｎが正の整数であり、
上記管理モジュール５０２は、具体的には、
上記トリガ条件を満足する時間長が上記Ｎ個の管理情報中のターゲット管理情報に対応する評価時間長以上であれば、セルに対して上記ターゲット管理情報に対応する管理動作を実行する。
【０１２８】
好ましくは、端末５００は、
ネットワーク側装置によって送信された設定情報を受信した後、上記トリガ条件を満足すると検出すれば、上記ターゲット管理情報に対応するタイマーを起動し、かつ上記トリガ条件を満足しないと検出する場合に上記ターゲット管理情報に対応するタイマーを停止する第２の制御モジュールをさらに含み、
上記管理モジュール５０２は、具体的には、
上記ターゲット管理情報に対応するタイマーがタイムアウトすれば、セルに対して上記ターゲット管理情報に対応する管理動作を実行し、上記ターゲット管理情報に対応するタイマーのタイミング閾値が上記ターゲット管理情報に対応する評価時間長以上である。
【０１２９】
好ましくは、上記設定情報は、上記トリガ条件に対応するＫ個のセルと、それぞれ上記Ｋ個のセルに対応する評価時間長とをさらに含み、Ｋが正の整数であり、
上記管理モジュール５０２は、具体的には、
上記トリガ条件を満足する時間長が上記Ｋ個のセルのうちのターゲットセルに対応する評価時間長以上であれば、上記ターゲットセルに対して管理動作を実行する。
【０１３０】
好ましくは、端末５００は、
ネットワーク側装置によって送信された設定情報を受信した後、上記トリガ条件を満足すると検出すれば、上記ターゲットセルに対応するタイマーを起動し、かつ上記トリガ条件を満足しないと検出する場合に上記ターゲットセルに対応するタイマーを停止する第３の制御モジュールをさらに含み、
上記管理モジュール５０２は、具体的には、
上記ターゲットセルに対応するタイマーがタイムアウトすれば、上記ターゲットセルに対して管理動作を実行し、上記ターゲットセルに対応するタイマーのタイミング閾値が上記ターゲットセルに対応する評価時間長以上である。
【０１３１】
端末５００は、本開示の方法の実施例における各プロセスを実現し、かつ同じ有益な効果を達成することができ、重複を避けるために、ここでは説明を省略する。
【０１３２】
図６を参照すると、図６は、本開示の実施例に係るネットワーク側装置の構成図（その１）である。図６に示すように、ネットワーク側装置６００は、
端末にセル管理動作を実行させるようにトリガするトリガ条件と評価時間長とを含む設定情報を上記端末に送信する送信モジュール６０１を含む。
【０１３３】
好ましくは、上記設定情報は、上記トリガ条件に対応するＮ個の管理情報と、それぞれ上記Ｎ個の管理情報に対応する評価時間長とをさらに含み、Ｎが正の整数である。
【０１３４】
好ましくは、上記設定情報は、上記トリガ条件に対応するＫ個のセルと、それぞれ上記Ｋ個のセルに対応する評価時間長とをさらに含み、Ｋが正の整数である。
【０１３５】
ネットワーク側装置６００は、本開示の方法の実施例における各プロセスを実現し、かつ同じ有益な効果を達成することができ、重複を避けるために、ここでは説明を省略する。
【０１３６】
図７を参照すると、図７は、本開示の実施例に係る端末の構成図（その２）であり、本開示の各実施例を実現する端末のハードウェア概略構成図である。図７に示すように、端末７００は、無線周波数ユニット７０１、ネットワークモジュール７０２、オーディオ出力ユニット７０３、入力ユニット７０４、センサ７０５、表示ユニット７０６、ユーザ入力ユニット７０７、インタフェースユニット７０８、メモリ７０９、プロセッサ７１０及び電源７１１などの部品を含むが、これらに限定されない。当業者が理解できるように、図７に示す端末の構造は、端末を限定するものではなく、端末は、図示より多いか又は少ない部品を含んでもよく、ある部品を組み合わせたり、部品を異なるように配置したりしてもよい。本開示の実施例において、端末は、携帯電話、タブレットコンピュータ、ノートパソコン、パームトップコンピュータ、車載端末、ウェアラブルデバイス及び歩数計などを含むが、これらに限定されない。
【０１３７】
無線周波数ユニット７０１は、
ネットワーク側装置によって送信された、上記端末にセル管理動作を実行させるようにトリガするトリガ条件と評価時間長とを含む設定情報を受信し、
プロセッサ７１０は、
上記トリガ条件を満足する時間長が上記評価時間長よりも短ければ、セル管理動作の実行を放棄し、及び／又は、上記トリガ条件を満足する時間長が上記評価時間長以上であれば、セル管理動作を実行する。
【０１３８】
好ましくは、プロセッサ７１０は、さらに、
上記トリガ条件を満足すると検出すれば、上記トリガ条件に対応するタイマーを起動し、かつ上記トリガ条件を満足しないと検出する場合に上記トリガ条件に対応するタイマーを停止する。
【０１３９】
好ましくは、上記トリガ条件に対応するタイマーがタイムアウトする前に停止すれば、セル管理動作の実行を放棄し、及び／又は、上記トリガ条件に対応するタイマーがタイムアウトすれば、セル管理動作を実行し、上記トリガ条件に対応するタイマーのタイミング閾値が上記評価時間長以上である。
【０１４０】
好ましくは、上記設定情報は、上記トリガ条件に対応するＮ個の管理情報と、それぞれ上記Ｎ個の管理情報に対応する評価時間長とをさらに含み、Ｎが正の整数であり、
プロセッサ７１０は、さらに、上記トリガ条件を満足する時間長が上記Ｎ個の管理情報中のターゲット管理情報に対応する評価時間長以上であれば、セルに対して上記ターゲット管理情報に対応する管理動作を実行する。
【０１４１】
好ましくは、プロセッサ７１０は、さらに、
上記トリガ条件を満足すると検出すれば、上記ターゲット管理情報に対応するタイマーを起動し、かつ上記トリガ条件を満足しないと検出する場合に上記ターゲット管理情報に対応するタイマーを停止し、
上記ターゲット管理情報に対応するタイマーがタイムアウトすれば、セルに対して上記ターゲット管理情報に対応する管理動作を実行し、上記ターゲット管理情報に対応するタイマーのタイミング閾値が上記ターゲット管理情報に対応する評価時間長以上である。
【０１４２】
好ましくは、上記設定情報は、上記トリガ条件に対応するＫ個のセルと、それぞれ上記Ｋ個のセルに対応する評価時間長とをさらに含み、Ｋが正の整数であり、プロセッサ７１０は、さらに、上記トリガ条件を満足する時間長が上記Ｋ個のセルのうちのターゲットセルに対応する評価時間長以上であれば、上記ターゲットセルに対して管理動作を実行する。
【０１４３】
好ましくは、プロセッサ７１０は、さらに、
上記トリガ条件を満足すると検出すれば、上記ターゲットセルに対応するタイマーを起動し、かつ上記トリガ条件を満足しないと検出する場合に上記ターゲットセルに対応するタイマーを停止し、
上記ターゲットセルに対応するタイマーがタイムアウトすれば、上記ターゲットセルに対して管理動作を実行し、上記ターゲットセルに対応するタイマーのタイミング閾値が上記ターゲットセルに対応する評価時間長以上である。
【０１４４】
なお、本実施例における上記端末７００は、本開示の実施例のうちの方法の実施例における各プロセスを実現し、かつ同じ有益な効果を達成することができ、重複を避けるために、ここでは説明を省略する。
【０１４５】
本開示の実施例において、無線周波数ユニット７０１は、情報の送受信、又は通話中の信号の送受信に用いられてよく、具体的には、基地局からのダウンリンクデータを受信した後、プロセッサ７１０に処理させ、また、アップリンクデータを基地局に送信することを理解されたい。一般的には、無線周波数ユニット７０１は、アンテナ、少なくとも１つの増幅器、送受信機、カプラ、低雑音増幅器、デュプレクサなどを含むが、これらに限定されない。また、無線周波数ユニット７０１は、さらに、無線通信システムによりネットワーク及び他の装置と通信することができる。
【０１４６】
端末は、ネットワークモジュール７０２によりユーザに無線のブロードバンドインターネットアクセスを提供して、例えば、ユーザの電子メールの送受信、ウェブの閲覧及びストリーミングメディアのアクセスなどを支援する。
【０１４７】
オーディオ出力ユニット７０３は、無線周波数ユニット７０１又はネットワークモジュール７０２によって受信されるか、又はメモリ７０９に記憶されるオーディオデータをオーディオ信号に変換して音声として出力することができる。そして、オーディオ出力ユニット７０３は、さらに端末７００によって実行される特定の機能に関連するオーディオ出力（例えば、呼出音、メッセージ着信音等）を提供することができる。オーディオ出力ユニット７０３は、スピーカー、ブザー及びレシーバーなどを含む。
【０１４８】
入力ユニット７０４は、オーディオ又はビデオ信号を受信する。入力ユニット７０４は、グラフィック処理ユニット（Ｇｒａｐｈｉｃｓ  Ｐｒｏｃｅｓｓｉｎｇ  Ｕｎｉｔ、ＧＰＵ）７０４１及びマイクロフォン７０４２を含んでよく、グラフィックプロセッサ７０４１は、動画撮影モード又は画像撮影モードで撮影装置（例えば、カメラ）によって取得された静止画像又はビデオの画像データを処理する。処理後の画像フレームは、表示ユニット７０６に表示することができる。グラフィック処理ユニット７０４１によって処理された画像フレームは、メモリ７０９（又は他の記憶媒体）に記憶し、或いは無線周波数ユニット７０１又はネットワークモジュール７０２を介して送信することができる。マイクロフォン７０４２は、音声を受信し、かつこのような音声をオーディオデータに処理することができる。処理後のオーディオデータは、電話通話モードで無線周波数ユニット７０１によって移動通信基地局に送信可能なフォーマットに変換して出力することができる。
【０１４９】
端末７００は、光センサ、動きセンサ及び他のセンサなどの少なくとも１種のセンサ７０５をさらに含んでよい。具体的には、光センサは、周辺光線の明るさに応じて表示パネル７０６１の輝度を調節することができる周辺光センサと、端末７００が耳元に移動するときに、表示パネル７０６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、端末姿勢（例えば、縦向き／横向きの切替、ゲーム関連、磁力計の姿勢較正）の識別、振動識別に関連する機能（例えば、歩数計、タッピング）などに用いられてよく、センサ７０５は、指紋センサ、圧力センサ、虹彩センサ、分子センサ、ジャイロスコープ、気圧計、湿度計、温度計、赤外線センサなどをさらに含んでよく、ここでは説明を省略する。
【０１５０】
表示ユニット７０６は、ユーザによって入力された情報又はユーザに提供する情報を表示する。表示ユニット７０６は、表示パネル７０６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などで表示パネル７０６１を構成することができる。
【０１５１】
ユーザ入力ユニット７０７は、入力された数字又は文字情報を受信すること、及び端末のユーザ設定及び機能制御に関連するキー信号入力を生成することができる。具体的には、ユーザ入力ユニット７０７は、タッチパネル７０７１及び他の入力装置７０７２を含む。タッチパネル７０７１は、タッチスクリーンとも呼ばれ、タッチパネル又はその近くでのユーザのタッチ操作（例えば、指、スタイラスペンなどの任意の適切な物体又は付属品を用いたタッチパネル７０７１で又はタッチパネル７０７１の近くでのユーザの操作）を収集することができる。タッチパネル７０７１は、タッチ検出装置及びタッチコントローラの二部分を含んでよい。タッチ検出装置は、ユーザのタッチ方向を検出し、タッチ操作による信号を検出し、信号をタッチコントローラに伝送し、タッチコントローラは、タッチ検出装置からタッチ情報を受信し、タッチポイント座標に変換して、プロセッサ７１０に送信し、プロセッサ７１０から送信されたコマンドを受信し、実行する。また、抵抗式、容量式、赤外線式及び表面弾性波式などの様々なタイプでタッチパネル７０７１を実現することができる。タッチパネル７０７１に加えて、ユーザ入力ユニット７０７は、他の入力装置７０７２をさらに含んでよい。具体的には、他の入力装置７０７２は、物理キーボード、機能キー（例えば、ボリューム調節キー、スイッチキーなど）、トラックボール、マウス及び操作レバーを含み得るが、これらに限定されず、ここでは説明を省略する。
【０１５２】
さらに、タッチパネル７０７１は、表示パネル７０６１をカバーすることができ、タッチパネル７０７１がタッチパネル又はその近くでのタッチ操作を検出した後、プロセッサ７１０に伝送してタッチイベントのタイプを決定し、その後に、プロセッサ７１０は、タッチイベントのタイプに応じて対応する視覚的出力を表示パネル７０６１に提供する。図７において、タッチパネル７０７１と表示パネル７０６１は、２つの独立した部品として端末の入出力機能を実現するが、いくつかの実施例において、タッチパネル７０７１と表示パネル７０６１を一体化して端末の入出力機能を実現してもよく、ここでは具体的に限定しない。
【０１５３】
インタフェースユニット７０８は、外部装置と端末７００を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポート等を含んでよい。インタフェースユニット７０８は、外部装置からの入力（例えば、データ情報、電力など）を受信すると共に、受信した入力を端末７００内の１つ以上の素子に伝送するか又は端末７００と外部装置との間のデータ伝送に用いる。
【０１５４】
メモリ７０９は、ソフトウェアプログラム及び様々なデータを記憶することができる。メモリ７０９は、主に、オペレーティングシステム、少なくとも１つの機能（例えば、音声再生機能、画像再生機能など）に必要なアプリケーションプログラムなどを記憶することができるプログラム記憶領域と、携帯電話の使用に応じて作成されたデータ（例えば、オーディオデータ、電話帳など）などを記憶することができるデータ記憶領域とを含んでよい。また、メモリ７０９は、高速ランダムアクセスメモリを含んでもよく、少なくとも１つの磁気ディスクメモリ素子、フラッシュメモリ素子などの不揮発性メモリ又は他の揮発性固体メモリ素子を含んでもよい。
【０１５５】
プロセッサ７１０は、端末の制御センターであり、様々なインタフェースと回線により端末全体の各部分に接続され、メモリ７０９に記憶されているソフトウェアプログラム及び／又はモジュールを動作させるか又は実行し、メモリ７０９に記憶されたデータを呼び出すことにより、端末の様々な機能とデータ処理を実行して、端末全体を制御する。プロセッサ７１０は、１つ以上の処理ユニットを含んでよく、好ましくは、プロセッサ７１０は、主にオペレーティングシステム、ユーザインタフェース及びアプリケーションプログラムなどを処理するアプリケーションプロセッサと、主に無線通信を処理するモデムプロセッサとを集積することができる。上記モデムプロセッサは、プロセッサ７１０に集積されなくてもよいことを理解されたい。
【０１５６】
端末７００は、各部品に給電する電源７１１（例えば、電池）を含んでよく、好ましくは、電源７１１は、電源管理システムによりプロセッサ７１０と論理的に接続されて、電源管理システムにより充電、放電の管理及び消費電力の管理等の機能を実現する。
【０１５７】
また、端末７００は、いくつかの未図示の機能モジュールを含み、ここでは説明を省略する。
【０１５８】
好ましくは、本開示の実施例は、プロセッサ７１０と、メモリ７０９と、メモリ７０９に記憶されて上記プロセッサ７１０上で実行可能で、プロセッサ７１０によって実行されると、上記セル管理方法の実施例の各プロセスを実現し、かつ同じ技術的効果を達成できるコンピュータプログラムとを含む、端末をさらに提供し、重複を避けるために、ここでは説明を省略する。
【０１５９】
図８を参照すると、図８は、本開示の実施例に係るネットワーク側装置の構成図（その２）であり、図８に示すように、ネットワーク側装置８００は、プロセッサ８０１、メモリ８０２、ユーザインタフェース８０３、トランシーバ８０４及びバスインタフェースを含む。
【０１６０】
トランシーバ８０４は、
端末にセル管理動作を実行させるようにトリガするトリガ条件と評価時間長とを含む設定情報を上記端末に送信する。
【０１６１】
好ましくは、上記設定情報は、上記トリガ条件に対応するＮ個の管理情報と、それぞれ上記Ｎ個の管理情報に対応する評価時間長とをさらに含み、Ｎが正の整数である。
【０１６２】
好ましくは、上記設定情報は、上記トリガ条件に対応するＫ個のセルと、それぞれ上記Ｋ個のセルに対応する評価時間長とをさらに含み、Ｋが正の整数である。
【０１６３】
図８において、バスアーキテクチャは、任意の数の相互接続されたバス及びブリッジを含んでよく、具体的には、プロセッサ８０１を代表とする１つ以上のプロセッサ及びメモリ８０２を代表とするメモリの様々な回路によって一体に接続される。バスアーキテクチャは、さらに、周辺装置、スタビライザ及びパワー管理回路などの様々なその他の回路を一体に接続してもよく、これらはいずれも本分野において既知のものであるため、本明細書においてさらに説明しない。バスインタフェースは、インタフェースを提供する。トランシーバ８０４は、複数の部品であってよく、即ち、送信機及び受信機を含み、伝送媒体で様々な他の装置と通信するためのユニットを提供する。異なるユーザ装置に応じて、ユーザインタフェース８０３は、必要な装置を外部及び内部で接続するインタフェースであってもよく、接続された装置は、キーパッド、ディスプレイ、スピーカー、マイクロフォン、ジョイスティックなどを含むが、それらに限定されない。
【０１６４】
プロセッサ８０１は、バスアーキテクチャ及び一般的な処理の管理を担当し、メモリ８０２は、プロセッサ２６０１が操作実行時に用いられるデータを記憶することができる。
【０１６５】
ネットワーク側装置８００は、上記方法の実施例におけるネットワーク側装置によって実現される各プロセスを実現することができ、重複を避けるために、ここでは説明を省略する。
【０１６６】
本開示の実施例は、プロセッサによって実行されると、上記セル管理方法の実施例の各プロセスを実現し、かつ同じ技術的効果を達成できるコンピュータプログラムが記憶されているコンピュータ可読記憶媒体をさらに提供し、重複を避けるために、ここでは説明を省略する。上記コンピュータ可読記憶媒体は、読み取り専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、ディスク又は光ディスクなどであってよい。
【０１６７】
なお、本明細書において、用語「含む」、「備える」及びそれらの任意の変形は、非排他的に含むことをカバーするものであることにより、一連の要素を含むプロセス、方法、物品又は装置は、それらの要素を含むだけでなく、明確に例示されていない他の要素をさらに含むか、又はこれらのプロセス、方法、物品又は装置固有の要素をさらに含む。更なる限定がない限り、語句「・・・を含む」により限定された要素は、該要素を含むプロセス、方法、物品又は装置に別の同一の要素がさらに存在する可能性がある。
【０１６８】
以上の実施形態の説明により、当業者が明確に理解できるように、上記実施例の方法は、ソフトウェアと必要な汎用ハードウェアプラットフォームを併用した方法で実現でき、当然のことながら、ハードウェアでも実現できるが、多くの場合に前者がより好ましい実施形態である。このような理解に基づいて、本開示の技術手段は、本質的又は従来技術に寄与する部分が、ソフトウェア製品の形態で具現化されてよく、該コンピュータソフトウェア製品は、記憶媒体（例えば、ＲＯＭ／ＲＡＭ、磁気ディスク、光ディスク）に記憶されており、一台の端末（携帯電話、コンピュータ、サーバ、エアコン又はネットワーク機器などであってもよい）に本開示の各実施例に記載の方法を実行させるための複数の命令を含む。
【０１６９】
以上で図面を参照しながら本開示の実施例を説明したが、本開示は、上記具体的な実施形態に限定されるものではなく、上記具体的な実施形態は、制限的なものではなく、例示的なものに過ぎず、当業者であれば、本開示の示唆で、本開示の趣旨及び特許請求の範囲の保護範囲から逸脱せずに、その他種々の態様が可能であり、これらは、いずれも本開示の保護範囲内に属する。
【符号の説明】
【０１７０】
２１  端末
２２  ソースノード
２３  ターゲットノード
５００  端末
５０１  受信モジュール
５０２  管理モジュール
６００  ネットワーク側装置
６０１  送信モジュール
７００  端末
７０１  無線周波数ユニット
７０２  ネットワークモジュール
７０３  オーディオ出力ユニット
７０４  入力ユニット
７０４１  グラフィック処理ユニット
７０４２  マイクロフォン
７０５  センサ
７０６  表示ユニット
７０６１  表示パネル
７０７  ユーザ入力ユニット
７０７１  タッチパネル
７０７２  入力装置
７０８  インタフェースユニット
７０９  メモリ
７１０  プロセッサ
７１１  電源
８００  ネットワーク側装置
８０１  プロセッサ
８０２  メモリ
８０３  ユーザインタフェース
８０４  トランシーバ
【図１】
2021525495.tif 000003
【図２】
2021525495.tif 000004
【図３】
2021525495.tif 000005
【図４】
2021525495.tif 000006
【図５】
2021525495.tif 000007
【図６】
2021525495.tif 000008
【図７】
2021525495.tif 000009
【図８】
2021525495.tif 000010
【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
端末に適用されるセル管理方法であって、
ネットワーク側装置によって送信された、前記端末にセル管理動作を実行させるようにトリガするトリガ条件と評価時間長とを含む設定情報を受信することと、
前記トリガ条件を満足する時間長が前記評価時間長よりも短ければ、セル管理動作の実行を放棄し、及び／又は、前記トリガ条件を満足する時間長が前記評価時間長以上であれば、セル管理動作を実行することと、を含むセル管理方法。
【請求項２】
前記ネットワーク側装置によって送信された設定情報を受信した後、
前記トリガ条件を満足すると検出すれば、前記トリガ条件に対応するタイマーを起動し、かつ前記トリガ条件を満足しないと検出する場合に前記トリガ条件に対応するタイマーを停止することをさらに含む、請求項１に記載の方法。
【請求項３】
前記トリガ条件に対応するタイマーがタイムアウトする前に停止すれば、セル管理動作の実行を放棄し、及び／又は、前記トリガ条件に対応するタイマーがタイムアウトすれば、セル管理動作を実行し、前記トリガ条件に対応するタイマーのタイミング閾値が前記評価時間長以上である、請求項２に記載の方法。
【請求項４】
前記設定情報は、前記トリガ条件に対応するＮ個の管理情報と、それぞれ前記Ｎ個の管理情報に対応する評価時間長とをさらに含み、Ｎが正の整数であり、
前記トリガ条件を満足する時間長が前記評価時間長以上であれば、セル管理動作を実行することは、
前記トリガ条件を満足する時間長が前記Ｎ個の管理情報中のターゲット管理情報に対応する評価時間長以上であれば、セルに対して前記ターゲット管理情報に対応する管理動作を実行することを含む、請求項１に記載の方法。
【請求項５】
前記設定情報は、前記トリガ条件に対応するＫ個のセルと、それぞれ前記Ｋ個のセルに対応する評価時間長とをさらに含み、Ｋが正の整数であり、
前記トリガ条件を満足する時間長が前記評価時間長以上であれば、セル管理動作を実行することは、
前記トリガ条件を満足する時間長が前記Ｋ個のセルのうちのターゲットセルに対応する評価時間長以上であれば、前記ターゲットセルに対して管理動作を実行することを含む、請求項１に記載の方法。
【請求項６】
ネットワーク側装置に適用されるセル管理方法であって、
端末にセル管理動作を実行させるようにトリガするトリガ条件と評価時間長とを含む設定情報を前記端末に送信することを含む、セル管理方法。
【請求項７】
前記設定情報は、前記トリガ条件に対応するＮ個の管理情報と、それぞれ前記Ｎ個の管理情報に対応する評価時間長とをさらに含み、Ｎが正の整数である、請求項６に記載の方法。
【請求項８】
前記設定情報は、前記トリガ条件に対応するＫ個のセルと、それぞれ前記Ｋ個のセルに対応する評価時間長とをさらに含み、Ｋが正の整数である、請求項６に記載の方法。
【請求項９】
ネットワーク側装置によって送信された、端末にセル管理動作を実行させるようにトリガするトリガ条件と評価時間長とを含む設定情報を受信する受信モジュールと、
前記トリガ条件を満足する時間長が前記評価時間長よりも短ければ、セル管理動作の実行を放棄し、及び／又は、前記トリガ条件を満足する時間長が前記評価時間長以上であれば、セル管理動作を実行する管理モジュールと、を含む端末。
【請求項１０】
ネットワーク側装置によって送信された設定情報を受信した後、前記トリガ条件を満足すると検出すれば、前記トリガ条件に対応するタイマーを起動し、かつ前記トリガ条件を満足しないと検出する場合に前記トリガ条件に対応するタイマーを停止する第１の制御モジュールをさらに含む、請求項９に記載の端末。
【請求項１１】
前記管理モジュールは、具体的には、
前記トリガ条件に対応するタイマーがタイムアウトする前に停止すれば、セル管理動作の実行を放棄し、及び／又は、前記トリガ条件に対応するタイマーがタイムアウトすれば、セル管理動作を実行し、前記トリガ条件に対応するタイマーのタイミング閾値が前記評価時間長以上である、請求項１０に記載の端末。
【請求項１２】
前記設定情報は、前記トリガ条件に対応するＮ個の管理情報と、それぞれ前記Ｎ個の管理情報に対応する評価時間長とをさらに含み、Ｎが正の整数であり、
前記管理モジュールは、具体的には、
前記トリガ条件を満足する時間長が前記Ｎ個の管理情報中のターゲット管理情報に対応する評価時間長以上であれば、セルに対して前記ターゲット管理情報に対応する管理動作を実行する、請求項９に記載の端末。
【請求項１３】
前記設定情報は、前記トリガ条件に対応するＫ個のセルと、それぞれ前記Ｋ個のセルに対応する評価時間長とをさらに含み、Ｋが正の整数であり、
前記管理モジュールは、具体的には、
前記トリガ条件を満足する時間長が前記Ｋ個のセルのうちのターゲットセルに対応する評価時間長以上であれば、前記ターゲットセルに対して管理動作を実行する、請求項９に記載の端末。
【請求項１４】
端末にセル管理動作を実行させるようにトリガするトリガ条件と評価時間長とを含む設定情報を前記端末に送信する送信モジュールを含む、ネットワーク側装置。
【請求項１５】
プロセッサによって実行されると、請求項１〜５のいずれか１項に記載のセル管理方法又は請求項６〜８のいずれか１項に記載のセル管理方法を実現するコンピュータプログラムが記憶されている、コンピュータ可読記憶媒体。
【手続補正２】
【補正対象書類名】明細書
【補正対象項目名】００３９
【補正方法】変更
【補正の内容】
【００３９】
図１に示すように、ターゲットノードｂは、ソースノードに条件付き切替キャンセル確認コマンド（即ち、Ｃｏｎｄｉｔｉｏｎａｌ  ＨＯ  Ｃａｎｃｅｌｌａｔｉｏｎ  Ｃｏｎｆｉｒｍａｔｉｏｎ）を送信する。
【手続補正３】
【補正対象書類名】明細書
【補正対象項目名】０１０３
【補正方法】変更
【補正の内容】
【０１０３】
該「トリガ条件」は、１つ以上のセルがネットワーク設定の閾値を満足することであってよく、例えば、サービングセル１の測定値が閾値１より低く、かつ隣接セル２の測定値が閾値より高い。
【手続補正４】
【補正対象書類名】明細書
【補正対象項目名】０１６４
【補正方法】変更
【補正の内容】
【０１６４】
プロセッサ８０１は、バスアーキテクチャ及び一般的な処理の管理を担当し、メモリ８０２は、プロセッサ８０１が操作実行時に用いられるデータを記憶することができる。
【国際調査報告】
2021525495.tif 000011
2021525495.tif 000012
2021525495.tif 000013
2021525495.tif 000014